【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
複数の遠隔機関／施設からの医療デバイスデータを集計および使用する方法であって、
複数の確定された医療デバイスデータを中央コンピュータシステムにおいて受信することを提供するステップであって、複数の確定された医療デバイスデータのそれぞれが個別の遠隔薬剤送達システムから受信され、各遠隔薬剤送達システムのそれぞれはシステムと関連付けられ、システム内において使用されるそれぞれの複数の医療デバイスを有し、各遠隔薬剤送達システムのそれぞれは、複数の遠隔機関／施設のそれぞれの遠隔機関／施設と関連付けられ、これら機関／施設内に実装されている、該ステップと、
メモリ内の複数の遠隔機関／施設のそれぞれからの複数の確定された医療デバイスデータを組み合わせ、記憶することを提供するステップと、
中央レポーティングアプリケーションへの遠隔機関／施設の遠隔アクセスを提供するステップであって、中央レポーティングアプリケーションは、組み合わされて確定された医療デバイスデータを照会するために、および医療デバイスデータに関する要約情報を遠隔機関／施設に提供するために、遠隔機関／施設から検索パラメータを電子的に受信するように適合されている、該ステップと、
を備える方法。
【請求項２】
確定された医療デバイスデータが、薬剤送達ポンプの構成情報および薬剤送達ポンプの動態情報を備え、または薬剤送達ポンプの構成情報および／または薬剤送達ポンプの動態情報に関する要約情報が、特定の薬剤送達ポンプの種類について提供され、閲覧することができる、請求項１に記載の方法。
【請求項３】
構成情報が構成ライブラリ情報を備え、動態情報は薬剤送達ポンプの利用情報を備え、または薬剤送達データが、ポンプの種類、施設の種類、ベッドのサイズおよび／または臨床診療分野のうちの少なくとも１つを備え、または利用情報が、コンプライアンス情報、ライン利用情報、同時送達利用情報、ソフトリミット警告情報、ハードリミット警告情報、オーバーライド情報、および／または構成編集情報のうちの少なくとも１つを備え、または構成ライブラリ情報が、薬剤名、ジェネリック薬剤名、薬剤濃度、薬剤用量単位、下限ハードリミット、下限ソフトリミット、上限ソフトリミット、上限ハードリミット、および／または統計情報のうちの少なくとも１つを備える、請求項２に記載の方法。
【請求項４】
中央コンピュータシステムにおいて、機関についての構成情報内の制限の少なくとも１つと、機関のピアグループについての、機関のピアグループ以外の別のピアグループについての、および／またはすべてのピアグループについての、構成情報の少なくとも１つの制限とを比較するステップと、
比較に基づいて統計情報を生成するステップであって、この比較が、機関のピアグループについて、機関のピアグループ以外の別のピアグループについて、および／またはすべてのピアグループについて、構成情報内で制限が使用される回数の割合を含む、ステップと、
をさらに備える、請求項３に記載の方法。
【請求項５】
検索パラメータが、施設名、エンティティの種類、ベッドのサイズ、デバイスの種類、ポンプの種類、時間枠、臨床診療分野、および／またはジェネリック薬剤名のうちの少なくとも１つを備え、または要約情報が、遠隔機関のユーザが新しいおよび／または変更された薬剤送達パラメータを生成することを支援すること、および／または遠隔機関のユーザが新しいおよび／または変更された機関手順を実行するのを支援すること、のうちの少なくとも１つに対して使用され、または特定の施設名が要約情報内で特定されることが差し控えられ、または医療デバイスデータに関して提供される要約情報が、毎月、毎四半期、日数、週数、月数、年数および／または開始日および終了日により指定される間隔のうちの少なくとも１つを含む、所定の時間枠にわたっておよび／または構成可能な時間枠にわたって表示できる、請求項１に記載の方法。
【請求項６】
比較結果を提供するために、中央コンピュータシステムにおいて、１つの機関から受信された動態情報と１つ以上の他の機関から受信された動態情報とを比較するステップと、
比較結果が所定条件を満たすかどうかを決定するステップと、
所定条件が満たされている場合は機関に警告を送信するステップと、
をさらに備える、請求項２に記載の方法。
【請求項７】
所定条件が、医療デバイス構成ライブラリ情報が、この医療デバイス構成ライブラリ情報が他の機関内の医療デバイスのプログラミングの間に編集される回数の中央値、平均値およびモード数からなるグループより選択された統計的基準に関して、機関内の医療デバイスのプログラミングの間に編集される回数の特定割合である、請求項６に記載の方法。
【請求項８】
複数の個別の機関の薬剤送達システムから医療デバイスデータを受信するように適合された中央コンピュータデータ転送プログラムコードと、
中央コンピュータデータ転送プログラムコードによって、各機関からの受信された医療デバイスデータを結合するように適合された中央医療デバイスデータ集計プログラムコードと、
メモリ内に組み合わせた医療デバイスデータを記憶し、およびメモリ内に記憶された組み合わせた医療デバイスデータを問い合わせるように適合された中央医療デバイスデータベースプログラムコードと、
遠隔ユーザコンピュータ上にインタフェース画面表示を生成するように適合されており、インタフェース画面表示は、検索パラメータを受信し、医療デバイスデータの要約情報を遠隔ユーザコンピュータに提供するように適合されている、中央医療デバイスデータ報告インタフェースプログラムコードと、
を備える、中央医療デバイスデータ収集レポーティングコンピュータシステム。
【請求項９】
所定の条件が、
ａ）医療デバイスがプログラムされる回数に対する、プログラミングの間において医療デバイス構成ライブラリ情報が編集される回数の所定の固有の割合と、
ｂ）プログラミングの間に押される医療デバイスのボタンの数に対して、プログラミングのためにボタンを押す所定の許容可能な回数と、
ｃ）動態情報データベース内に存在するデータ量に関して、動態情報の要約情報を提示することが可能と見なされる所定のデータ量と、
ｄ）動態情報の統計的計算に関して、動態情報についての所定の統計値および／または、
ｅ）医療デバイスをプログラムするために要する時間に関して、医療デバイスをプログラムするために要する所定の時間と、
のうちの１つである、請求項６に記載の方法。
【請求項１０】
検索結果を得るために検索パラメータに基づいて複数の確定された医療デバイスデータの集計を検索することを提供するステップと、
それぞれの遠隔薬剤送達システム内において使用するために、検索結果に関連する複数の確定された医療デバイスデータの検索結果および／または集計の少なくとも一部を、遠隔機関／施設におけるローカル記憶媒体に転送することを提供するステップと、
をさらに備える、請求項１に記載の方法。
【請求項１１】
複数の遠隔機関／施設に対する薬剤送達システムおよび医療デバイスデータをホスティングする方法であって、医療機関が少なくとも１つの医療デバイスを構成するための機関固有のカスタマイズされた構成ライブラリを開発するのを支援するために、
データセンタにおいて、遠隔機関／施設に置かれた複数の医療デバイスに対して薬剤送達システムアプリケーションをホスティングする中央コンピュータシステムを提供し、中央コンピュータシステムにおいて、遠隔機関／施設に置かれた複数の医療デバイスからの医療デバイスデータを受信することを提供するステップと、
中央コンピュータシステムのメモリ内に複数の遠隔機関／施設からの複数の医療デバイスの複数の医療デバイスデータを記憶することを提供するステップであって、医療デバイスデータは複数の遠隔機関／施設のそれぞれについての構成ライブラリ情報を備え、複数の遠隔機関／施設のそれぞれについての構成ライブラリ情報は合わさって構成ライブラリデータベースを確定する、ステップと、
少なくとも１つの医療デバイスを構成するための機関固有のカスタマイズされた構成ライブラリを開発するために、構成ライブラリ開発機関が中央コンピュータシステム内の構成ライブラリ開発アプリケーションにアクセスするための承認を提供するステップと、
他の機関／施設に対する構成ライブラリ情報を含む、構成ライブラリデータベースの一部を表示するために、構成ライブラリ開発機関がアクセスするための承認を提供するステップと、
を備える方法。
【請求項１２】
検索結果を得るために、検索パラメータに基づいて複数の確定された医療デバイスデータの集計を検索することを提供するステップと、
検索結果と、複数の確定された医療デバイスデータの集計のサブグループとを比較することを提供するステップと、
をさらに備える、請求項１に記載の方法。
【請求項１３】
複数の遠隔機関／施設についての医療デバイスデータを使用する方法であって、および医療機関が、医療デバイスデータを使用して少なくとも１つの医療デバイスを構成するために、機関固有のカスタマイズされた構成ライブラリを開発するのを支援するために、
医療機関が中央コンピュータシステムのメモリ内に記憶された複数の確定された医療デバイスデータの集計へアクセスするための承認を提供するステップであって、複数の確定された薬剤データのそれぞれが個別の薬剤送達システムについて受信され、各薬剤送達システムのそれぞれはシステムに関連付けられ、システムにおいて利用される複数の医療デバイスをそれぞれ有し、各薬剤送達システムのそれぞれは、複数の遠隔機関／施設のそれぞれの遠隔機関／施設に関連付けられ、これら機関／施設内に実装される、該ステップと、
少なくとも１つの医療デバイスを構成するための機関固有のカスタマイズされた構成ライブラリを開発するために、医療機関が中央コンピュータシステム内の構成ライブラリ開発アプリケーションにアクセスするための承認を提供するステップと、
他の機関についての構成ライブラリ情報を含む確定された医療デバイスデータの一部を閲覧するために、医療機関がアクセスするための承認を提供するステップ、および医療機関が中央コンピュータシステム内の中央レポーティングアプリケーションにアクセスするための承認を提供するステップと、
確定医療デバイスデータを問い合わせるために、中央レポーティングアプリケーションにおいて医療機関からの検索パラメータを受信することを提供するステップと、
医療デバイスデータに関する要約情報を、他の機関／施設から医療機関に通信することを提供するステップと、
を備える方法。
【請求項１４】
第１注入器ライン制御モジュールおよび第２注入器ライン制御モジュールと通信するための中央インタフェースモジュールを有する医療デバイスに対して、複数の遠隔機関／施設からの集計された医療デバイスデータへのアクセスを提供する方法であって、
中央コンピュータシステムのメモリ内に記憶された複数の確定された医療デバイスデータの集計へのアクセスを提供するステップであって、複数の確定された医療デバイスデータは第１注入器ライン制御モジュールについての第１制御モジュールデータと、第２注入器ライン制御モジュールについての第２制御モジュールデータとを含み、複数の確定された薬剤データのそれぞれは薬剤送達システムのそれぞれから受信され、各薬剤送達システムのそれぞれはシステムに関連付けられシステムにおいて利用される各複数の医療デバイスを有し、薬剤送達システムのそれぞれは、複数の遠隔機関／施設のそれぞれの遠隔機関／施設に関連付けられこれら機関／施設内に実装される、該ステップと、
検索結果を得るために、検索パラメータに基づいて、第１注入器ライン制御モジュールについての第１制御モジュールデータおよび第２注入器ライン制御モジュールについての第２制御モジュールデータを含む、複数の確定された療デバイスデータの集計を検索するために検索パラメータを受信することを提供するステップと、
を備える方法。
【請求項１５】
検索結果が医療デバイスを介して送達されるＸの最も使用される薬剤を含み、Ｘが５、１０、１５、２０、２５、３０、３５、４０、４５、５０、５５、６０、６５、７０、７５、８０、８５、９０、９５、１００、２００、３００、４００および５００からなるグループより選択される、請求項１０に記載の方法。